(57)【要約】【課題】使い勝手のよいカメラを得ること。【解決手段】カメラ１は、操作部材ＳＷ１、２が操作されたことを検出する操作検出部１１０と、通常の通電を行う動作状態、動作状態より省電力の待機状態、および非通電の非動作状態のいずれかに切替える電源制御部１１０と、動作状態にて最後の操作が検出されてから第１時間が経過すると動作状態から待機状態へ切替え、待機状態にて最後の操作が検出されてから第２時間が経過すると待機状態から非動作状態へ切替え、待機状態にて操作が検出されると待機状態から動作状態へ切替えるように、電源制御部１１０へ自動切替えを指示する切替え指示部１０４と、操作困難か否かを示す使用環境を判定する環境判定部１１２と、電池ＢＡＴの残量を検出する残量検出部１１０と、操作困難な環境が判定され、かつ所定値より多い電池残量が検出されている場合に、第１時間を短く変更せず、待機状態から非動作状態へ切替えを制限するように切替え指示部１０４を制御する制御部１０４と、を備える。【選択図】図２
2014160347.tif 000002
【特許請求の範囲】
【請求項１】
操作部材が操作されたことを検出する操作検出部と、
通常の通電を行う動作状態、前記動作状態より省電力の待機状態、および非通電の非動作状態のいずれかに切替える電源制御部と、
前記動作状態にて前記操作検出部で最後の操作が検出されてから第１時間が経過すると前記動作状態から前記待機状態へ切替え、前記待機状態にて前記操作検出部で最後の操作が検出されてから第２時間が経過すると前記待機状態から前記非動作状態へ切替え、前記待機状態にて前記操作検出部で操作が検出されると前記待機状態から前記動作状態へ切替えるように、前記電源制御部へ自動切替えを指示する切替え指示部と、
カメラの操作が困難か否かを示す使用環境を判定する環境判定部と、
電池の残量を検出する残量検出部と、
前記環境判定部により前記操作の困難な環境が判定され、かつ前記残量検出部により所定値より多い残量が検出されている場合に、前記第１時間を短く変更せず、前記待機状態から前記非動作状態へ切替えを制限するように前記切替え指示部を制御する制御部と、
を備えることを特徴とするカメラ。
【請求項２】
請求項１に記載のカメラにおいて、
前記制御部は、前記環境判定部により操作困難な環境が判定され、かつ前記残量検出部により前記所定値より少ない残量が検出されている場合に、前記第１時間を短く変更せず、前記検出された残量に応じて前記第２時間を決定するように前記切替え指示部を制御することを特徴とするカメラ。
【請求項３】
請求項１または２に記載のカメラにおいて、
前記環境判定部は水中か否かを判定し、
前記制御部は、前記環境判定部により水中判定されている場合に、前記操作困難な環境と判定することを特徴とするカメラ。
【請求項４】
請求項３に記載のカメラにおいて、
前記制御部は、前記環境判定部により水中判定された後に水中判定されなくなると、前記第２時間を前記水中判定される前より長く変更するように前記切替え指示部を制御することを特徴とするカメラ。
【請求項５】
請求項１〜４のいずれか一項に記載のカメラにおいて、
前記制御部はさらに、前記環境判定部により前記操作の困難な環境が判定されると、前記第１時間を長く変更するように前記切替え指示部を制御することを特徴とするカメラ。
【発明の詳細な説明】
【技術分野】
【０００１】
本発明は、カメラに関する。
【背景技術】
【０００２】
動作状態→スリープ状態→パワーオフ状態へと、段階的にカメラの消費電力を減らす電力制御技術が知られている。カメラは、電源投入されると動作状態へ移行し、動作状態にてレリーズボタンなどが操作されない無操作状態を第１タイマーによって計時する。そしてカメラは、第１タイマーで時間Ｔ１を計時した場合にスリープ状態へ移行し、スリープ状態にて無操作状態を第２タイマーによって計時する。カメラはさらに、第２タイマーで時間Ｔ２を計時した場合にパワーオフ状態へ移行する。一方、動作状態においてレリーズボタンなどが操作されたカメラは、第１タイマーをリセットして計時をやり直す。また、スリープ状態においてレリーズボタンなどが操作されたカメラは、スリープ状態から動作状態へ移行し、第１タイマーおよび第２タイマーをリセットして計時をやり直す。
【０００３】
また、上述した電力制御を行うカメラにおいて水中プロテクタの装着を検出し、構造上電源投入操作ができない水中プロテクタの装着時に、１回の潜水時間より長く電池をもたせるように、上記時間Ｔ１を短く変更して早くスリープ状態に移行させ、かつ、上記時間Ｔ２を長く変更してスリープ状態を維持させるカメラが知られている（特許文献１参照）。
【先行技術文献】
【特許文献】
【０００４】
【特許文献１】特開２００５−３３８１５３号公報
【発明の概要】
【発明が解決しようとする課題】
【０００５】
しかしながら、従来技術のように省電力のみを優先させてしまうと、使い勝手がよくないという問題が生じる。例えば、水の抵抗を受けて撮影操作が困難な環境では、シャッターチャンスをうかがっているうちにスリープ状態へ移行してしまって使いづらい。
【課題を解決するための手段】
【０００６】
本発明によるカメラは、操作部材が操作されたことを検出する操作検出部と、通常の通電を行う動作状態、動作状態より省電力の待機状態、および非通電の非動作状態のいずれかに切替える電源制御部と、動作状態にて操作検出部で最後の操作が検出されてから第１時間が経過すると動作状態から待機状態へ切替え、待機状態にて操作検出部で最後の操作が検出されてから第２時間が経過すると待機状態から非動作状態へ切替え、待機状態にて操作検出部で操作が検出されると待機状態から動作状態へ切替えるように、電源制御部へ自動切替えを指示する切替え指示部と、カメラの操作が困難か否かを示す使用環境を判定する環境判定部と、電池の残量を検出する残量検出部と、環境判定部により操作の困難な環境が判定され、かつ残量検出部により所定値より多い残量が検出されている場合に、第１時間を短く変更せず、待機状態から非動作状態へ切替えを制限するように切替え指示部を制御する制御部と、を備えることを特徴とする。
【発明の効果】
【０００７】
本発明によれば、使い勝手のよいカメラが得られる。
【図面の簡単な説明】
【０００８】
【図１】防水性能を有するデジタルカメラの外観を例示する図である。
【図２】デジタルカメラの要部構成を例示するブロック図である。
【図３】ＣＰＵが実行する電源制御処理の流れを説明するフローチャートである。
【発明を実施するための形態】
【０００９】
以下、図面を参照して本発明を実施するための形態について説明する。図１は、潜水時でも使用可能な防水性能を有するデジタルカメラ１の外観を例示する図である。図１において、デジタルカメラ１の前面に鏡筒１０１が設けられている。デジタルカメラ１の上面には、シャッターボタン２と、電源ボタン３と、ＬＥＤ４とが設けられる。電源ボタン３は、誤操作防止のためにシャッターボタン２より小さく構成され、シャッターボタン２より長く押下操作する必要がある。
【００１０】
デジタルカメラ１は、電源オフ状態で電源ボタン３が長押し操作されると、電源オフ状態から電源オン状態へ移行してＬＥＤ４を点灯させるとともに、鏡筒１０１を所定位置まで伸胴させる。デジタルカメラ１は、電源オン状態にてシャッターボタン２などが操作されない無操作状態が第１所定時間（例えば５分）継続すると、電源オン状態から省電力のスタンバイ状態へ移行してＬＥＤ４を点滅させる。
【００１１】
デジタルカメラ１は、スタンバイ状態にてシャッターボタン２などが操作されない無操作状態が第２所定時間（例えば５分）継続すると、鏡筒１０１を沈胴させるとともにＬＥＤ４を消灯させ、スタンバイ状態から電源オフ状態へ移行する（オートパワーオフ）。
【００１２】
一方、電源オン状態にてシャッターボタン２などが操作された場合のデジタルカメラ１は、上記第１所定時間の計時をリセットして計時をやり直す。また、スタンバイ状態にてシャッターボタン２などが操作された場合のデジタルカメラ１は、スタンバイ状態から電源オン状態へ移行し、上記第１所定時間および上記第２所定時間の計時をリセットして計時をやり直す。
【００１３】
本実施形態は、上記デジタルカメラ１が水中検知センサ１１２（図２）を備え、該水中検知センサ１１２による検出信号に応じて第２所定時間を変更する点に特徴を有するので、以下の説明はこの点を中心に行う。
【００１４】
図２は、デジタルカメラ１の要部構成を例示するブロック図である。デジタルカメラ１は、鏡筒１０１と、撮像素子１０２と、画像処理エンジン１０３と、ＣＰＵ１０４と、ＲＡＭ１０５と、フラッシュメモリ１０６と、カードインタフェース１０７と、液晶パネル１０８と、モーター１０９と、電源制御ＣＰＵ１１０と、電源回路１１１と、水中検知センサ１１２とを備える。
【００１５】
鏡筒１０１は、ズームレンズやフォーカシングレンズが組み込まれた撮像光学系ユニットを構成する。ズームレンズおよびフォーカシングレンズは、モーター１０９によって駆動され、それぞれのレンズ位置が調整される。撮像光学系ユニットは、撮像素子１０２の撮像面に被写体像を結像させる。
【００１６】
撮像素子１０２は、撮像面に受光素子が二次元配列されたＣＭＯＳイメージセンサなどによって構成される。撮像素子１０２は、被写体像を光電変換して画像信号を生成する。画像信号は、画像処理エンジン１０３に入力される。
【００１７】
画像処理エンジン１０３は、画像信号に対して所定の画像処理（色補間処理、階調変換処理、輪郭強調処理、ホワイトバランス調整処理など）を施す。ＣＰＵ１０４は、フラッシュメモリ１０６が記憶するプログラムを実行することによってデジタルカメラ１が行う動作を制御する。ＣＰＵ１０４は、内部に計時回路（タイマー）を有している。
【００１８】
ＲＡＭ１０５は、ＣＰＵ１０４のワークメモリとして使用される。また、ＲＡＭ１０５は、画像処理エンジン１０３による画像処理工程における画像データを一時的に記憶する。フラッシュメモリ１０６は不揮発性メモリであり、ＣＰＵ１０４が実行するプログラムを記憶する他、各種データの記憶用に用いられる。
【００１９】
カードインタフェース１０７は、ＣＰＵ１０４からの指示に基づいて画像ファイルを記録媒体５０に記録したり、記録媒体５０に記録されている画像ファイルを読出したりする。記録媒体５０は、例えば、図示しないカードスロットに着脱自在に取り付けられるメモリカードによって構成される。液晶パネル１０８はデジタルカメラ１の背面に設けられ、ＣＰＵ１０４からの指示に応じて画像や操作メニュー画面などを表示する。
【００２０】
電源制御ＣＰＵ１１０は、電池電圧VccBATの監視と、シャッターボタン２などの操作部材からの操作信号の検出と、ＬＥＤ４の点灯制御と、電源回路１１１に対する指示を行う。電源制御ＣＰＵ１１０は、検出した操作部材の操作情報をＣＰＵ１０４へ送信する一方、ＣＰＵ１０４から送られるスタンバイ状態への移行指示や電源オフ状態への移行指示などに応じて、電源回路１１１へ出力切替指示を送る。電源制御ＣＰＵ１１０は、デジタルカメラ１に電池ＢＡＴが装填された状態で常に動作する。
【００２１】
電源スイッチＳＷ１は、電源ボタン３の押下操作に連動してオンする。操作部材ＳＷ２は、シャッターボタン２や、不図示の撮影／再生切替ボタン等のオン操作に連動してオンする複数のスイッチ群である。図２では、操作部材ＳＷ２を単スイッチとして図示している。
【００２２】
電源回路１１１は、電池ＢＡＴの電圧を所定の電圧（Vcc1およびVcc2）に変換してデジタルカメラ１の各ブロックへ供給する。Vcc1およびVcc2の出力は、電源制御ＣＰＵ１１０からの出力切替指示によって別々にオン／オフが切替可能に構成されている。電源回路１１１は、電源オン状態にて電圧Vcc1およびVcc2を出力し、スタンバイ状態では電圧Vcc2のみを出力する。なお、電池ＢＡＴからの電圧VccBATは、電源回路１１１を介して電源制御ＣＰＵ１１０へも供給される。
【００２３】
水中検知センサ１１２は、デジタルカメラ１が水中にあるか否かを検知し、検知信号をＣＰＵ１０４へ送出する。
【００２４】
以上説明したデジタルカメラ１のＣＰＵ１０４が実行する電源制御処理の流れについて、図３に例示するフローチャートを参照して説明する。電源オフ状態において電源ボタン３の長押しによって電源スイッチＳＷ１がオンされると、電源制御ＣＰＵ１１０が電源回路１１１に電圧Vcc1および電圧Vcc2の出力をオンさせる。これにより、電源オフ状態から電源オン状態へ移行する。電源回路１１１から電圧Vcc2が供給されたＣＰＵ１０４は、起動して図３による処理を開始する。
【００２５】
図３のステップＳ１１において、ＣＰＵ１０４は所定の初期設定を行ってステップＳ１２へ進む。初期設定は、鏡筒１０１を所定位置まで伸胴すること、無操作状態（電源制御ＣＰＵ１１０へ操作信号が入力されない状態）を計時するタイマーをセットすること、タイマーで計時する上記第１所定時間および上記第２所定時間をそれぞれ５分にすること、および後述する水中フラグをリセットすることを含む。
【００２６】
ステップＳ１２において、ＣＰＵ１０４は、ライブビュー表示状態へ移行してステップＳ１３へ進む。これにより、撮像素子１０２によって所定のフレームレート（例えば６０ｆｐｓ）で撮像されたライブビュー画像が、液晶パネル１０８に逐次表示される。
【００２７】
ステップＳ１３において、ＣＰＵ１０４は、シャッターボタン２が全押し操作されたか否かを判定する。ＣＰＵ１０４は、電源制御ＣＰＵ１１０から送られた操作情報に基づいて全押し操作を検出した場合に、ステップＳ１３を肯定判定してステップＳ１４へ進む。ＣＰＵ１０４は、全押し操作を検出しない場合にはステップＳ１３を否定判定し、ステップＳ１６へ進む。
【００２８】
ステップＳ１４において、ＣＰＵ１０４はライブビュー表示を停止し、所定の撮影処理を行ってステップＳ１５へ進む。撮影処理を終了したＣＰＵ１０４は、ステップＳ１５においてライブビュー表示状態へ移行してステップＳ１６へ進む。
【００２９】
ステップＳ１６において、ＣＰＵ１０４は、無操作状態のまま第１所定時間が経過したか否かを判定する。ＣＰＵ１０４は、電源制御ＣＰＵ１１０に操作信号が入力されない状態で第１所定時間を計時した場合にステップＳ１６を肯定判定し、ステップＳ１７へ進む。ＣＰＵ１０４は、計時時間が第１所定時間に満たない場合には、ステップＳ１６を否定判定してステップＳ１３へ戻る。ＣＰＵ１０４は、タイマー計時中に電源制御ＣＰＵ１１０に操作信号が入力されると、タイマーをリセットして計時をやり直すように構成されている。
【００３０】
ステップＳ１７において、ＣＰＵ１０４はタイマー計時を停止し、電源オン状態からスタンバイ状態への移行指示を電源制御ＣＰＵ１１０へ送る。電源制御ＣＰＵ１１０は、電源回路１１１による電圧Vcc1の出力をオフさせて、さらにＬＥＤ４を点滅させる。撮像素子１０２および液晶パネル１０８への電力供給を止めることで、電力消費が抑えられる。なお、電圧Vcc2の出力については継続される。
【００３１】
ステップＳ１８において、ＣＰＵ１０４は、水中検知されているか否かを判定する。ＣＰＵ１０４は、水中検知センサ１１２からの検知信号に基づいてデジタルカメラ１が水中にあると判断した場合に、ステップＳ１８を肯定判定してステップＳ２２へ進む。ＣＰＵ１０４は、水中検知センサ１１２からの検知信号に基づいてデジタルカメラ１が水中にあると判断しない場合には、ステップＳ１８を否定判定してステップＳ１９へ進む。
【００３２】
ステップＳ１９において、ＣＰＵ１０４は、水中フラグのリセットが必要か否かを判定する。本実施形態では、ステップＳ１８を否定判定した時点に水中フラグがセットされている場合は、水中フラグのリセット（フラグクリア）を必要とし、水中フラグがセットされていない状態でステップＳ１８を否定判定した場合は、水中フラグのリセットを不要とする。ＣＰＵ１０４は、水中フラグのリセットが必要な場合にステップＳ１９を肯定判定してステップＳ２０へ進み、水中フラグのリセットが不要な場合はステップＳ１９を否定判定してステップＳ２１へ進む。
【００３３】
ステップＳ２０において、ＣＰＵ１０４は、水中フラグをリセット（フラグクリア）するとともに、第２所定時間を１０分に変更してステップＳ２１へ進む。ステップＳ２１において、ＣＰＵ１０４は、タイマー計時を開始（既に計時中である場合は継続）してステップＳ２４へ進む。以上説明したステップＳ１８〜ステップＳ２０によれば、一旦水中検知をした後に水中検知をしなくなる場合は、第２所定時間を初期設定時の値に戻す代わりに、初期設定時の値の２倍の１０分に変更する。なお、一度も水中検知をしなかった場合は、第２所定時間を初期設定時の５分に維持する。つまり、水中検知をした後は、一度も水中検知をしない場合に比べて、スタンバイ状態において電源オフ状態へ移行させるまでの時間を長く確保する。
【００３４】
ステップＳ１８を肯定判定して進むステップＳ２２において、ＣＰＵ１０４は、水中フラグをセットしてステップＳ２３へ進む。ステップＳ２３において、ＣＰＵ１０４は、タイマー計時を停止してステップＳ２４へ進む。ここでタイマー計時を停止することは、タイムアップさせないことと等価であり、第２所定時間を無限大にすることに等しい。つまり、水中検知されている場合においては、スタンバイ状態で無操作状態が続いても電源オフ状態へ移行しない。
【００３５】
ステップＳ２４において、ＣＰＵ１０４は、操作部材が操作されたか否かを判定する。ＣＰＵ１０４は、電源制御ＣＰＵ１１０から送られた操作情報に基づいて、電源制御ＣＰＵ１１０へ操作信号の入力を検出するとステップＳ２４を肯定判定し、ステップＳ１２へ戻る。ステップＳ１２へ戻ったＣＰＵ１０４は、スタンバイ状態から電源オン状態（ライブビュー表示状態）への移行指示を電源制御ＣＰＵ１１０へ送る。電源制御ＣＰＵ１１０は、電源回路１１１による電圧Vcc1の出力をオンさせて、ＬＥＤ４を点灯させる。なお、電圧Vcc2の出力については継続されている。
【００３６】
一方、電源制御ＣＰＵ１１０から送られた操作情報に基づいて、電源制御ＣＰＵ１１０へ操作信号の入力を検出しない場合のＣＰＵ１０４は、ステップＳ２４を否定判定してステップＳ２５へ進む。ステップＳ２５において、ＣＰＵ１０４は、無操作状態にて第２所定時間が経過したか否かを判定する。ＣＰＵ１０４は、電源制御ＣＰＵ１１０に操作信号が入力されない状態で第２所定時間を計時した場合に、ステップＳ２５を肯定判定してステップＳ２６へ進む。ＣＰＵ１０４は、計時時間が第２所定時間に満たない場合には、ステップＳ２５を否定判定してステップＳ１８へ戻る。
【００３７】
ステップＳ２６において、ＣＰＵ１０４はタイマー計時を停止して所定の終了処理を行い、スタンバイ状態から電源オフ状態への移行指示を電源制御ＣＰＵ１１０へ送る。終了処理には、鏡筒１０１を沈胴することを含む。電源制御ＣＰＵ１１０は、電源回路１１１による電圧Vcc2の出力をオフさせて、ＬＥＤ４を消灯させる。
【００３８】
なお、上述したオートパワーオフ処理でなく、電源ボタン３の長押し操作によっても電源オフ状態へ移行させるのはいうまでもない。電源ボタン３が長押しされて電源スイッチＳＷ１がオンすると、電源制御ＣＰＵ１１０がその旨をＣＰＵ１０４へ伝える。ＣＰＵ１０４は、鏡筒１０１の沈胴指示などの終了処理を行い、電源オフ状態への移行指示を電源制御ＣＰＵ１１０へ送る。電源制御ＣＰＵ１１０は、電源回路１１１に電圧Vcc1および電圧Vcc2の出力をオフさせて、ＬＥＤ４を消灯させる。
【００３９】
以上説明した実施形態によれば、次の作用効果が得られる。
（１）デジタルカメラ１は、操作部材ＳＷ１、２が操作されたことを検出する電源制御ＣＰＵ１１０と、通常の通電を行うライブビュー表示（電源オン）状態、ライブビュー表示状態より省電力のスタンバイ状態、および非通電の電源オフ状態のいずれかに切替える電源制御ＣＰＵ１１０と、ライブビュー表示状態にて電源制御ＣＰＵ１１０で最後の操作が検出されてから第１所定時間が経過するとライブビュー表示状態からスタンバイ状態へ切替え、スタンバイ状態にて電源制御ＣＰＵ１１０で最後の操作が検出されてから第２所定時間が経過するとスタンバイ状態から電源オフへ切替え、スタンバイ状態にて電源制御ＣＰＵ１１０で操作が検出されるとスタンバイ状態からライブビュー表示状態へ切替えるように、電源制御ＣＰＵ１１０へ自動切替えを指示するＣＰＵ１０４と、カメラの操作が困難か否かを示す使用環境を判定する水中検知センサ１０２と、電池ＢＡＴの残量を検出する電源制御ＣＰＵ１１０と、水中検知センサ１０２により操作の困難な環境が判定され、かつ電源制御ＣＰＵ１１０により所定値より多い残量が検出されている場合に、第１所定時間を短く変更せず、待機状態から非動作状態へ切替えを制限するようにＣＰＵ１０４を制御するＣＰＵ１０４と、を備える。一般に、グローブを装着するユーザーにとっては、カメラ操作がしづらい。そこで、ユーザーがグローブを装着しているような操作困難な環境を判定し、電池残量が所定値よりあれば、スタンバイ状態への移行を早めることなく、さらにスタンバイ状態から電源オフ状態への移行を制限する。これにより、操作困難な環境におけるユーザーの使い勝手がよくなる。
【００４０】
（２）上記（１）のデジタルカメラ１において、水中検知センサ１０２は水中か否かを判定し、ＣＰＵ１０４は、水中検知センサ１０２により水中判定されている場合に、操作困難な環境を判定する。一般に、水中ダイビング時はグローブを装着するユーザーが多いので、操作困難な環境を適切に判定し得る。
【００４１】
（３）上記（２）のデジタルカメラ１において、ＣＰＵ１０４は、水中検知センサ１０２により水中判定された後に水中判定されなくなると、第２所定時間を水中判定される前（５分）より長く変更する（１０分）ようにＣＰＵ１０４を制御する。再び水中環境へ戻る意思を有するユーザーは、グローブを装着したままの可能性が高いので、デジタルカメラ１が電源オフ状態へ移行してしまうと、電源ボタン３のオン操作がしづらい。しかしながら、水中検知をした後に、一度も水中検知をしない場合に比べて、スタンバイ状態において電源オフ状態へ移行させるまでの時間を長く確保することで、デジタルカメラ１が電源オフ状態へ移行する可能性を低く抑えられる。これにより、ユーザーの使い勝手がよくなる。
【００４２】
（変形例１）
上述した説明では、ステップＳ２３において計時を停止することによって実質的に第２所定時間を無制限にしたが、電池ＢＡＴの電圧に基づく電池残量が所定量未満の場合には、第２所定時間を有限にしてもよい。変形例１のＣＰＵ１０４は、例えば、電池ＢＡＴ残量が３０％未満の場合に、第２所定時間を初期設定時の値の４倍の２０分に変更する。これにより、電池ＢＡＴの残量を無制限に消費することが避けられる。
【００４３】
変形例１のＣＰＵ１０４はさらに、電池ＢＡＴ残量が１０％未満の場合は第２所定時間を初期設定時の値の２倍の１０分に変更する。これにより、電池ＢＡＴの残量を無制限に消費することを、段階的に避けていくことができる。
【００４４】
（変形例２）
以上の説明では、防水性能を備えたデジタルカメラ１を水中で使用する場合を例に説明した。水中以外にも、低温時などグローブを装着して操作する環境の場合には、本実施形態と同様に構成することができる。例えば、デジタルカメラを低温下で使用する場合は、水中検知センサ１１２の代わりに温度センサを設ける。そして、ＣＰＵ１０４は、検出温度に応じて第２所定時間を初期設定時の値より長く変更（無限大）する。
【００４５】
この場合において、第２所定時間Ｔ２を温度センサの出力に基づいて変更しようとすると、ある温度（例えば０℃）を境に第２所定時間Ｔ２が頻繁に切り替わり、使い勝手がよくない。そこで、変形例２のＣＰＵ１０４は、一旦０℃以下を検知した後に０℃以上を検知した場合は、第２所定時間を初期設定時の値に戻す代わりに、初期設定時の値の２倍の１０分に変更する。なお、一度も０℃以下を検知しなかった場合は、第２所定時間を初期設定時の５分に維持する。つまり、０℃以下を検知した後に、一度も０℃以下を検知しない場合に比べて、スタンバイ状態において電源オフ状態へ移行させるまでの時間を長く確保する。
【００４６】
再び０℃以下の環境へ戻る意思を有するユーザーは、グローブを装着したままの可能性が高いので、デジタルカメラ１が電源オフ状態へ移行してしまうと、電源ボタン３のオン操作をしづらい。電源オフ状態へ移行するまでの第２所定時間を長く変更することで、デジタルカメラ１が電源オフ状態へ移行する可能性を低く抑えられる。これにより、ユーザーの使い勝手がよくなる。
【００４７】
（変形例３）
以上の説明では、第１所定時間を初期設定時の値から変更しない例を説明したが、第１所定時間についても初期設定時の値より長く変更してもよい。変形例３のＣＰＵ１０４は、水中検知をした場合や、０℃以下を検知した場合に、第１所定時間を初期設定時の値より長く変更する。操作しづらい環境下では、スタンバイ状態に切替わるのを遅くするためである。ただし、第１所定時間は無限大にせず、有限にしておく。無操作状態が長く続く場合はスタンバイ状態へ移行させて、省電力化を図るためである。
【００４８】
以上の説明はあくまで一例であり、上記の実施形態の構成に何ら限定されるものではない。上記実施形態および変形例は、適宜組み合わせてもよい。
【符号の説明】
【００４９】
１…デジタルカメラ
２…シャッターボタン
３…電源ボタン
４…ＬＥＤ
１０１…鏡筒
１０２…撮像素子
１０４…ＣＰＵ
１０８…液晶パネル
１１０…電源制御ＣＰＵ
１１１…電源回路
１１２…水中検知センサ
ＢＡＴ…電池
ＳＷ１…電源スイッチ
ＳＷ２…操作部材
【図１】
2014160347.tif 000003
【図２】
2014160347.tif 000004
【図３】
2014160347.tif 000005